【手続補正書】
【提出日】平成17年7月7日(2005.7.7)
【手続補正１】
【補正対象書類名】明細書
【補正対象項目名】特許請求の範囲
【補正方法】変更
【補正の内容】
【特許請求の範囲】
【請求項１】
略同一容積の複数の容器をロットで管理して流動する液体の充填工程にあって、前記容器に前記液体を少なくとも２つの吐出流量に切り換えて充填する際に前記液体の吐出流量を制御する液体流量制御方法において、前記ロット内における１つ目の容器を検出するロット切換検出工程と、前記容器の容積を検出する容積検出工程と、ロット切換検出工程の検出結果に基づき、流量のパターンを設定するパターン設定工程と、設定されたパターンに基づき、第一の流量で前記液体の吐出を行った後、前記液体の流量を切り換える流量切換工程と、第二以降の流量で前記液体を前記容器に満たす注入時間を計測する計測工程と、前記注入時間の計測結果から、少なくとも１つの流量のパターンを変更するパターン変更工程と、からなり、注入時間の計測結果から、前記パターン設定工程で設定された流量のパターンを前記パターン変更工程にて変更して、次の容器への注入パターンを決定することを特徴とする液体流量制御方法。
【請求項２】
略同一容積の複数の容器をロットで管理して流動する液体の充填工程にあって、前記容器に前記液体を少なくとも２つの吐出流量に切り換えて充填する際に前記液体の吐出流量を制御する液体流量制御方法において、前記ロット内における１つ目の容器を検出するロット切換検出工程と、前記容器の容積を検出する容積検出工程と、ロット切換検出工程の検出結果に基づき、流量の吐出時間を設定する吐出時間設定工程と、設定された吐出時間に基づき、第一の流量で前記液体の吐出を行った後、前記液体の流量を切り換える流量切換工程と、第二以降の流量で前記液体を前記容器に満たす注入時間を計測する計測工程と、前記注入時間の計測結果から、少なくとも１つの流量吐出時間を変更する吐出時間変更工程と、からなり、注入時間の計測結果から、前記吐出時間設定工程で設定された流量吐出時間を前記吐出時間変更工程にて変更して、次の容器への吐出時間を決定することを特徴とする液体流量制御方法。
【請求項３】
注型成形によりプラスチックレンズを成形するために用いることを特徴とする請求項１または２記載の液体流量制御方法。
【請求項４】
略同一容積の複数の容器をロットで管理して流動する液体の充填工程にあって、前記容器に前記液体を少なくとも２つの吐出流量に切り換えて充填する際に前記液体の吐出流量を制御する液体流量制御装置において、前記ロット内における１つ目の容器を検出するロット切換検出装置と、前記容器の容積を検出する容積検出手段と、ロット切換検出装置の検出結果に基づき、流量のパターンを設定するパターン設定装置と、設定されたパターンに基づき、第一の流量で前記液体の吐出を行った後、前記液体の流量を切り換える流量切換手段と、第二以降の流量で前記液体を前記容器に満たす注入時間を計測する計測装置と、前記注入時間の計測結果から、少なくとも１つの流量のパターンを変更するパターン変更装置と、からなり、注入時間の計測結果から、前記パターン設定装置で設定された流量のパターンを前記パターン変更装置にて変更して、次の容器への注入パターンを決定することを特徴とする液体流量制御装置。
【請求項５】
略同一容積の複数の容器をロットで管理して流動する液体の充填工程にあって、前記容器に前記液体を少なくとも２つの吐出流量に切り換えて充填する際に前記液体の吐出流量を制御する液体流量制御装置において、前記ロット内における１つ目の容器を検出するロット切換検出装置と、前記容器の容積を検出する容積検出手段と、ロット切換検出装置の検出結果に基づき、流量の吐出時間を設定する吐出時間設定装置と、設定された吐出時間に基づき、第一の流量で前記液体の吐出を行った後、前記液体の流量を切り換える流量切換手段と、前記液体を前記容器に満たす注入時間を計測する計測装置と、前記注入時間の計測結果から、少なくとも１つの流量吐出時間を変更する吐出時間変更装置と、からなり、注入時間の計測結果から、前記吐出時間設定装置で設定された流量吐出時間を前記吐出時間変更装置にて変更して、次の容器への吐出時間を決定することを特徴とする液体流量制御装置。
【請求項６】
注型成形によりプラスチックレンズを成形するために用いることを特徴とする請求項４または５記載の液体流量制御装置。
【請求項７】
略同一容積の複数の容器をロットで管理して流動する液体の充填工程にあって、前記容器に前記液体を少なくとも２つの吐出流量に切り換えて充填する液体注入方法において、前記容器を液体充填工程に給材する容器給材工程と、前記容器を保持する保持工程と、前記液体を前記容器に充填する液体充填工程と、液体充填工程に前記液体を供給する液体供給工程と、前記液体が前記容器内に充填されたことを検出する充填検出工程と、前記容器を液体充填工程から取り除く容器除材工程とを有し、前記液体充填工程が、請求項１または２記載の液体流量制御方法を用いて、前記液体を充填することを特徴とする液体注入方法。
【請求項８】
注型成形によりプラスチックレンズを成形するために用いることを特徴とする請求項７記載の液体注入方法。
【請求項９】
略同一容積の複数の容器をロットで管理して流動する液体の充填工程にあって、前記容器に前記液体を少なくとも２つの吐出流量に切り換えて充填する液体注入方法において、前記容器を液体充填装置に給材する容器給材装置と、前記容器を保持する保持手段と、前記液体を前記容器に充填する液体充填装置と、液体充填装置に前記液体を供給する液体供給装置と、前記液体が前記容器内に充填されたことを検出する充填検出手段と、前記容器を液体充填装置から取り除く容器除材装置とを有し、前記液体充填装置が、請求項４または５記載の液体流量制御装置を備えることを特徴とする液体注入装置。
【請求項１０】
注型成形によりプラスチックレンズを成形するために用いることを特徴とする請求項９記載の液体注入装置。
【手続補正２】
【補正対象書類名】明細書
【補正対象項目名】００１１
【補正方法】変更
【補正の内容】
【００１１】
従って、請求項１に記載の発明は、略同一容積の複数の容器をロットで管理して流動する液体の充填工程にあって、前記容器に前記液体を少なくとも２つの吐出流量に切り換えて充填する際に前記液体の吐出流量を制御する液体流量制御方法において、前記ロット内における１つ目の容器を検出するロット切換検出工程と、前記容器の容積を検出する容積検出工程と、ロット切換検出工程の検出結果に基づき、流量のパターンを設定するパターン設定工程と、設定されたパターンに基づき、第一の流量で前記液体の吐出を行った後、前記液体の流量を切り換える流量切換工程と、第二以降の流量で前記液体を前記容器に満たす注入時間を計測する計測工程と、前記注入時間の計測結果から、少なくとも１つの流量のパターンを変更するパターン変更工程と、からなり、注入時間の計測結果から、前記パターン設定工程で設定された流量のパターンを前記パターン変更工程にて変更して、次の容器への注入パターンを決定することを特徴とする液体流量制御方法を提供する。
【手続補正３】
【補正対象書類名】明細書
【補正対象項目名】００１２
【補正方法】変更
【補正の内容】
【００１２】
請求項２記載の発明は、略同一容積の複数の容器をロットで管理して流動する液体の充填工程にあって、前記容器に前記液体を少なくとも２つの吐出流量に切り換えて充填する際に前記液体の吐出流量を制御する液体流量制御方法において、前記ロット内における１つ目の容器を検出するロット切換検出工程と、前記容器の容積を検出する容積検出工程と、ロット切換検出工程の検出結果に基づき、流量の吐出時間を設定する吐出時間設定工程と、設定された吐出時間に基づき、第一の流量で前記液体の吐出を行った後、前記液体の流量を切り換える流量切換工程と、第二以降の流量で前記液体を前記容器に満たす注入時間を計測する計測工程と、前記注入時間の計測結果から、少なくとも１つの流量吐出時間を変更する吐出時間変更工程と、からなり、注入時間の計測結果から、前記吐出時間設定工程で設定された流量吐出時間を前記吐出時間変更工程にて変更して、次の容器への吐出時間を決定することを特徴とする液体流量制御方法を提供する。
【手続補正４】
【補正対象書類名】明細書
【補正対象項目名】００１３
【補正方法】変更
【補正の内容】
【００１３】
請求項３記載の発明は、注型成形によりプラスチックレンズを成形するために用いることを特徴とする請求項１または２記載の液体流量制御方法を提供する。
【手続補正５】
【補正対象書類名】明細書
【補正対象項目名】００１４
【補正方法】変更
【補正の内容】
【００１４】
請求項４記載の発明は、略同一容積の複数の容器をロットで管理して流動する液体の充填工程にあって、前記容器に前記液体を少なくとも２つの吐出流量に切り換えて充填する際に前記液体の吐出流量を制御する液体流量制御装置において、前記ロット内における１つ目の容器を検出するロット切換検出装置と、前記容器の容積を検出する容積検出手段と、ロット切換検出装置の検出結果に基づき、流量のパターンを設定するパターン設定装置と、設定されたパターンに基づき、第一の流量で前記液体の吐出を行った後、前記液体の流量を切り換える流量切換手段と、第二以降の流量で前記液体を前記容器に満たす注入時間を計測する計測装置と、前記注入時間の計測結果から、少なくとも１つの流量のパターンを変更するパターン変更装置と、からなり、注入時間の計測結果から、前記パターン設定装置で設定された流量のパターンを前記パターン変更装置にて変更して、次の容器への注入パターンを決定することを特徴とする液体流量制御装置を提供する。
【手続補正６】
【補正対象書類名】明細書
【補正対象項目名】００１５
【補正方法】変更
【補正の内容】
【００１５】
請求項５記載の発明は、略同一容積の複数の容器をロットで管理して流動する液体の充填工程にあって、前記容器に前記液体を少なくとも２つの吐出流量に切り換えて充填する際に前記液体の吐出流量を制御する液体流量制御装置において、前記ロット内における１つ目の容器を検出するロット切換検出装置と、前記容器の容積を検出する容積検出手段と、ロット切換検出装置の検出結果に基づき、流量の吐出時間を設定する吐出時間設定装置と、設定された吐出時間に基づき、第一の流量で前記液体の吐出を行った後、前記液体の流量を切り換える流量切換手段と、前記液体を前記容器に満たす注入時間を計測する計測装置と、前記注入時間の計測結果から、少なくとも１つの流量吐出時間を変更する吐出時間変更装置と、からなり、注入時間の計測結果から、前記吐出時間設定装置で設定された流量吐出時間を前記吐出時間変更装置にて変更して、次の容器への吐出時間を決定することを特徴とする液体流量制御装置を提供する。
【手続補正７】
【補正対象書類名】明細書
【補正対象項目名】００１６
【補正方法】変更
【補正の内容】
【００１６】
請求項６記載の発明は、注型成形によりプラスチックレンズを成形するために用いることを特徴とする請求項４または５記載の液体流量制御装置を提供する。
【手続補正８】
【補正対象書類名】明細書
【補正対象項目名】００１７
【補正方法】変更
【補正の内容】
【００１７】
請求項７記載の発明は、略同一容積の複数の容器をロットで管理して流動する液体の充填工程にあって、前記容器に前記液体を少なくとも２つの吐出流量に切り換えて充填する液体注入方法において、前記容器を液体充填工程に給材する容器給材工程と、前記容器を保持する保持工程と、前記液体を前記容器に充填する液体充填工程と、液体充填工程に前記液体を供給する液体供給工程と、前記液体が前記容器内に充填されたことを検出する充填検出工程と、前記容器を液体充填工程から取り除く容器除材工程とを有し、前記液体充填工程が、請求項１または２記載の液体流量制御方法を用いて、前記液体を充填することを特徴とする液体注入方法を提供する。
【手続補正９】
【補正対象書類名】明細書
【補正対象項目名】００１８
【補正方法】変更
【補正の内容】
【００１８】
請求項８記載の発明は、注型成形によりプラスチックレンズを成形するために用いることを特徴とする請求項７記載の液体注入方法を提供する。
【手続補正１０】
【補正対象書類名】明細書
【補正対象項目名】００１９
【補正方法】変更
【補正の内容】
【００１９】
請求項９記載の発明は、略同一容積の複数の容器をロットで管理して流動する液体の充填工程にあって、前記容器に前記液体を少なくとも２つの吐出流量に切り換えて充填する液体注入方法において、前記容器を液体充填装置に給材する容器給材装置と、前記容器を保持する保持手段と、前記液体を前記容器に充填する液体充填装置と、液体充填装置に前記液体を供給する液体供給装置と、前記液体が前記容器内に充填されたことを検出する充填検出手段と、前記容器を液体充填装置から取り除く容器除材装置とを有し、前記液体充填装置が、請求項４または５記載の液体流量制御装置を備えることを特徴とする液体注入装置を提供する。
【手続補正１１】
【補正対象書類名】明細書
【補正対象項目名】００２０
【補正方法】変更
【補正の内容】
【００２０】
請求項１０記載の発明は、注型成形によりプラスチックレンズを成形するために用いることを特徴とする請求項９記載の液体注入装置を提供する。